(57)【特許請求の範囲】
【請求項１】
ＸＹＺ座標系に見てＸＹ面に平行な一対の第１側部とＸＺ面に平行な一対の第２側部とを有しＹ方向に延びる筒状をなし、第１端部からプラグコネクタが挿通されるシールドと、
前記シールドの第２端部から装着され、前記第２端部の端面による前記第１端部側への抜け止めがなされ、前記シールド外に位置付けられＹ方向に延びる嵌合筒部を有するハウジングと、
前記ハウジングから延び、前記シールド内に位置付けられ、前記プラグコネクタに備わるコンタクトに接触するターミナルと、
一方の前記第１側部の外側面に接する基部と、前記基部から延び前記第２側部を外側から挟む挟持部と、前記基部から延び前記嵌合筒部に嵌入する嵌入部とを有し、Ｚ方向に移動させて前記シールドとこのシールドに装着された状態の前記ハウジングとを固定する補強金具と、
を備えるレセプタクルコネクタ。
【請求項２】
前記ハウジングは、前記シールドに装着された状態で前記シールドにカシメ固定される、
請求項１に記載のレセプタクルコネクタ。
【請求項３】
前記補強金具の嵌入部は、前記ハウジングの嵌合筒部に圧入される、
請求項１又は２に記載のレセプタクルコネクタ。
【請求項４】
前記シールドの第２側部と前記補強金具の挟持部とは、スナップロックにより固定される、
請求項１から３のいずれか一に記載のレセプタクルコネクタ。
【請求項５】
前記シールドに対する前記補強金具のＸＹ平面方向の動きを防ぐ凹凸嵌合部を備える、請求項１から４のいずれか一に記載のレセプタクルコネクタ。
【請求項６】
前記凹凸嵌合部は、
前記シールドに形成される嵌合孔と、
前記補強金具から突出し前記嵌合孔に嵌合する嵌合突部と、
を含む、請求項５記載のレセプタクルコネクタ。
【請求項７】
前記嵌合突部は、前記補強金具に入れられた一対のカット線の間の領域を前記シールドに向けて押し出して形成され、前記補強金具に両持ちで支持される、
請求項６記載のレセプタクルコネクタ。
【発明の詳細な説明】
【技術分野】
【０００１】
本発明は、パーソナルコンピュータ、携帯電話、スマートフォンの電子機器に搭載され、他の機器に備わるプラグコネクタに接続されるレセプタクルコネクタに関する。
【背景技術】
【０００２】
パーソナルコンピュータ、携帯電話、スマートフォンの電子機器には、他の機器に備わるプラグコネクタと接続するためのレセプタクルコネクタが設けられる。その一例は、Ｍｉｃｒｏ−ＵＳＢ規格準拠のインタフェースコネクタである。このようなレセプタクルコネクタは、プラグコネクタが何度も挿抜されることによって変形してしまう。このようなレセプタクルコネクタの変形を防ぐ発明が開示されている（例えば、特許文献１）。
【先行技術文献】
【特許文献】
【０００３】
【特許文献１】特開２００４−０８７４６２号公報
【発明の概要】
【発明が解決しようとする課題】
【０００４】
特許文献１に記載のロック機構付ＵＳＢコネクタ１０は、レセプタクル側シェル１３が樹脂部１５を囲い込んで形成されるものである。ここで、樹脂部１５を形成するために金型を用いることからコスト高の懸念がある。また、この樹脂部１５に代えて金属薄板をプレス加工して筒状に作られたシールドを採用したものが普及しているという実情もある。そこで、発明者は、このようなシールドを用いて作られたレセプタクルコネクタの変形の防止手法を、以下に示す第一の仮想例及び第二の仮想例のように考えた。
【０００５】
図６は、第一の仮想例でのレセプタクルコネクタ８０１を正面側から見た斜視図である。図７は、第一の仮想例でのレセプタクルコネクタ８０１を背面側から見た斜視図である。第一の仮想例として示すレセプタクルコネクタ８０１は、扁平な第１開口８０２を形成する筒状のシールド８０３と、第１開口８０２とは反対側にあるシールド８０３の第２開口８０４に嵌め込まれるハウジング８０５と、を有する。第１開口８０２にはプラグコネクタ（図示せず）が装着され、プラグコネクタに備わるコンタクト（図示せず）は、ハウジング８０５に設けられシールド８０３内に位置付けられるターミナル８０６に接触する。シールド８０３からは、下方に突出する脚部８０７が、シールド８０３の第２開口８０４側から突出する部分を折り曲げたり、シールド８０３の下面を切り起こしたりして形成される。シールド８０３は、脚部８０７が基板８０８に形成された挿込孔８０９に挿入された状態でシールド８０３の下面が基板８０８の上面にハンダ付けされることで、基板８０８に固定される。
【０００６】
第一の仮想例のレセプタクルコネクタ８０１は、基板８０８に固定された後に、補強金具８１０に覆われる。補強金具８１０は、第１開口８０２側から見て下方に開くコ字形をなしている。また、補強金具８１０の下方には、シールド８０３から離れる方向に延びる脚部８１１が設けられる。補強金具８１０は、シールド８０３にその上方から装着され、脚部８１１を基板８０８の上面にハンダ付けされる。これにより、補強金具８１０は、シールド８０３の上面に接し、かつ、シールド８０３の両側面を挟み込んで、シールド８０３を補強する。
【０００７】
ここで、第一の仮想例に示すレセプタクルコネクタ８０１は、シールド８０３が基板８０８に固定された後に、シールド８０３に覆い被せられて基板８０８に固定される。このため、シールド８０３の側面と基板８０８の上面との狭い隙間でハンダ付けを行わなければならず、シールド８０３に対する補強金具８１０の位置合わせが難しい。また、シールド８０３と補強金具８１０とは互いに固定されておらず、プラグコネクタが挿入されたときにシールド８０３が補強金具８１０に対して位置ズレするおそれがある。また、補強金具８１０とハウジング８０５との間の接触が無く、補強金具８１０はハウジング８０５の固定に寄与しない。
【０００８】
図８は、第二の仮想例でのレセプタクルコネクタ９０１の斜視図である。第二の仮想例として示すレセプタクルコネクタ９０１は、第二の仮想例のシールド８０３を形成するための金属プレートの一部を折り返すことで、シールド９０２と補強金具９０３とを一体に形成したものである。このレセプタクルコネクタ９０１では、第二の仮想例でのシールド８０３と補強金具８１０との位置合わせや位置ズレに関する問題は解消される。しかしながら、補強金具９０３はハウジング（図示せず）の固定に寄与しないままである。さらには、金属プレートを折り返すことにより、シールド９０２の上面と補強金具９０３の下面との間に隙間９０４が生じて、シールド９０２と補強金具９０３とが密着固定されないという別の問題も生じてしまう。
【０００９】
本発明は、上記の点を鑑みてなされたものであり、基板に対する固定が容易で強固な二重シェル構造のレセプタクルコネクタを提供することを目的とする。
【課題を解決するための手段】
【００１０】
本発明のレセプタクルコネクタは、（α）ＸＹＺ座標系に見てＸＹ面に平行な一対の第１側部とＸＺ面に平行な一対の第２側部とを有しＹ方向に延びる筒状をなし、第１端部からプラグコネクタが挿通されるシールドと、（β）前記シールドの第２端部から装着され、前記第２端部の端面による前記第１端部側への抜け止めがなされ、前記シールド外に位置付けられＹ方向に延びる嵌合筒部を有するハウジングと、（γ）前記ハウジングから延び、前記シールド内に位置付けられ、前記プラグコネクタに備わるコンタクトに接触するターミナルと、（δ）一方の前記第１側部の外側面に接する基部と、前記基部から延び前記第２側部を外側から挟む挟持部と、前記基部から延び前記嵌合筒部に嵌入する嵌入部とを有し、Ｚ方向に移動させて前記シールドとこのシールドに装着された状態の前記ハウジングとを固定する補強金具と、を備える。
【発明の効果】
【００１１】
本発明によれば、シールドとハウジングと補強金具との三者の間でそれぞれが互いに保持され、したがって、二重シェル構造のレセプタクルコネクタが強固なものになる。また、レセプタクルコネクタは、シールドとハウジングと補強金具とを組み付けた状態で取り扱うことができるようになり、レセプタクルコネクタの基板に対する固定が容易になる。
【図面の簡単な説明】
【００１２】
【図１】第一の実施の形態での、レセプタクルコネクタを上方正面側から見た斜視図である。
【図２】第一の実施の形態での、レセプタクルコネクタを上方背面側から見た斜視図である。
【図３】第一の実施の形態での、レセプタクルコネクタを下方背面側から見た斜視図である。
【図４】第一の実施の形態での、レセプタクルコネクタの分解斜視図である。
【図５】第四の実施の形態での、レセプタクルコネクタを下方正面側から見た斜視図である。
【図６】第一の仮想例でのレセプタクルコネクタを正面側から見た斜視図である。
【図７】第一の仮想例でのレセプタクルコネクタを背面側から見た斜視図である。
【図８】第二の仮想例でのレセプタクルコネクタの斜視図である。
【発明を実施するための形態】
【００１３】
実施の一形態を、図１ないし図４に基づいて説明する。説明の便宜上、本実施の形態を第一の実施の形態と呼ぶ。なお、本実施の形態では、特許請求の範囲で示されるＸＹ方向を水平方向に、Ｚ方向を上下方向に見立てて示しているが、これは説明のためであって、ＸＹＺ方向はこのような例に限られない。
【００１４】
図１は、レセプタクルコネクタ１０１を上方正面側から見た斜視図である。図２は、レセプタクルコネクタ１０１を上方背面側から見た斜視図である。図３は、レセプタクルコネクタ１０１を下方背面側から見た斜視図である。図２では、説明のために、補強金具１０４の外形をフレームで示している。また、プラグコネクタ２０１は、図２にのみ示される。レセプタクルコネクタ１０１は、シールド１０２と、ハウジング１０３と、ターミナル１０３ａと、補強金具１０４とを備える。
【００１５】
シールド１０２は、銅、銅合金、アルミニウム合金、ステンレス等の導電性薄板をプレス加工して断面略矩形の筒状に形成される。これにより、シールド１０２は、上下に並び互いに平行な一対の第１側部１０２ａと、レセプタクルコネクタ１０１の幅方向Ｂに並び互いに平行な一対の第２側部１０２ｂとを有する。シールド１０２の一方の端部（第１端部１０２ｃ）には、プラグコネクタ２０１が挿通されるプラグ装着孔１０２ｄが開口する。
【００１６】
ハウジング１０３は、樹脂成形により形成され、シールド１０２の他方の端部（第２端部１０２ｅ）に形成されたハウジング装着孔１０２ｆ（図４参照）に装着される。ハウジング１０３は、上下方向に延びる嵌合筒部１０３ｂを有する。ハウジング１０３の形状の詳細については、図４に基づいて後述することにし、ここでは概要を説明する。
【００１７】
ターミナル１０３ａは、複数本のコンタクト部材を幅方向Ｂに並べた状態でハウジング１０３に一体成形され、片持ち状態に延出させて構成される。ターミナル１０３ａの一部は、ハウジング１０３がシールド１０２に装着されたときに、シールド１０２内に位置付けられる。ターミナル１０３ａは、シールド１０２に装着されたプラグコネクタ２０１に備わっているコンタクト２０２と接触して電気信号の伝達経路の一部となる。
【００１８】
嵌合筒部１０３ｂは、ハウジング１０３の一部をなし、上下方向に延び、断面が細長い矩形状となっている筒状をなしている。嵌合筒部１０３ｂは、ハウジング１０３がシールド１０２に装着されたときに、シールド１０２の外側で第２端部１０２ｅに接する箇所に位置付けられる。このとき、第２端部１０２ｅの端面は嵌合筒部１０３ｂの外周面に引っかかり、これにより、ハウジング１０３の第１端部１０２ｃへの抜け止めがなされる。
【００１９】
補強金具１０４は、シールド１０２の上方から下方向に移動させてシールド１０２に取付けられ、シールド１０２と、シールド１０２に装着された状態のハウジング１０３との両方を固定する。補強金具１０４の形状の詳細については、図４に基づいて後述することにし、ここでは概要を説明する。
【００２０】
補強金具１０４は、銅、銅合金、アルミニウム合金、ステンレス等の導電性薄板をプレス加工して形成される。補強金具１０４は、シールド１０２の上方の第１側部１０２ａの外側面に接する基部１０４ａを有する。基部１０４ａにおける幅方向Ｂの両側部からは、挟持部１０４ｂが下方に延びている。挟持部１０４ｂは、シールド１０２の第２側部１０２ｂを外側から挟み、シールド１０２が幅方向Ｂに動くことを防ぐ。また、基部１０４ａにおいてシールド１０２の第２端部１０２ｅ側に近い縁部からは、嵌入部１０４ｃが延びている。嵌入部１０４ｃは、補強金具１０４がハウジング１０３に取付けられるときに、嵌合筒部１０３ｂに嵌入される。嵌入部１０４ｃの先端は、脚部１０４ｄになっている。脚部１０４ｄは、レセプタクルコネクタ１０１を基板３０１（図１のみに示す）にハンダ付けする際に、基板３０１に形成された挿込孔３０２に挿入される。このような脚部１０４ｄは、補強金具１０４の挟持部１０４ｂの下端からも突出している。
【００２１】
図４は、レセプタクルコネクタ１０１の分解斜視図である。図４に基づいて、シールド１０２、ハウジング１０３及び補強金具１０４の構造の詳細、及び、レセプタクルコネクタ１０１の組み立て方法について述べる。
【００２２】
まず、シールド１０２について説明する。シールド１０２の一対の第２側部１０２ｂのそれぞれには、スナップ爪１１１が設けられる。スナップ爪１１１は、シールド１０２を構成する導電性薄板をシールド１０２の外側方向に切り起こして形成される。
【００２３】
シールド１０２の上方の第１側部１０２ａからは、カシメ部１１２が延びている。カシメ部１１２は、シールド１０２を構成する導電性薄板をプレス加工された際には、図４で一点鎖線で示すように第１側部１０２ａの延展方向に延びている。カシメ部１１２内には孔部１１２ａが形成される。
【００２４】
シールド１０２の上方の第１側部１０２ａには、プラグ係合爪１１３が設けられる。プラグ係合爪１１３は、シールド１０２を構成する導電性薄板を下方に切り起こして形成される。プラグ係合爪１１３は、プラグ装着孔１０２ｄ（図１参照）からプラグコネクタ２０１（図２参照）が挿通されたときに、このプラグコネクタ２０１に形成されている係合溝２０３（図２参照）に入り込み、プラグコネクタ２０１をレセプタクルコネクタ１０１から抜けにくくする。ここで、補強金具１０４の基部１０４ａには、プラグ係合爪１１３に対応する箇所に逃げ孔１２１が設けられている。この逃げ孔１２１には、プラグコネクタ２０１の挿抜の際にスプリングバックしたプラグ係合爪１１３が入り込む。
【００２５】
シールド１０２の下方の第１側部１０２ａで第２端部１０２ｅ側の端部は、幅方向Ｂの中央部分で離間しており、この離間した部分を挟む一対の内側端部１０２ｇは、上方に折り曲げられている。これにより、シールド１０２の第２端部１０２ｅ側の端面は、内側に巻き込まれるような渦状をなしている。
【００２６】
シールド１０２の上方の第１側部１０２ａで第２端部１０２ｅ寄りの領域には、幅方向Ｂに対称となる二箇所に、第１嵌合孔１１４が設けられる。第１嵌合孔１１４は、プラグコネクタ２０１（図２参照）の挿通方向Ａに長い矩形形状に開口している。
【００２７】
シールド１０２には、第２嵌合孔１１５が設けられる。第２嵌合孔１１５は、第１嵌合孔１１４と幅方向Ｂに並んでいて、幅方向Ｂに対称となる二箇所で、第２側部１０２ｂと上方の第１側部１０２ａとの境界部分にかかる箇所に設けられる。第１嵌合孔１１４は、プラグコネクタ２０１（図２参照）の挿通方向Ａに短い矩形形状に開口している。
【００２８】
次いで、ハウジング１０３について説明する。ハウジング１０３は、幅方向Ｂに対称な形状をなし、嵌合筒部１０３ｂから、装着部１３２、ターミナル保持部１３１に向かうにつれて先細る形状をなしている。
【００２９】
ハウジング１０３は、ターミナル保持部１３１を有する。ターミナル保持部１３１は、ハウジング１０３がシールド１０２に装着された際にシールド１０２内に位置付けられ最も第１端部１０２ｃに近づく。ターミナル保持部１３１からは、プラグコネクタ２０１のコンタクト２０２（図２参照）に接触するターミナル１０３ａの一方の端部が露出している。
【００３０】
ハウジング１０３は、ターミナル保持部１３１と嵌合筒部１０３ｂとの間に、装着部１３２を有する。装着部１３２は、ハウジング１０３がシールド１０２に装着された際にシールド１０２の第２端部１０２ｅ側に微圧入状態で嵌合され、この第２端部１０２ｅの内壁面に接触する。
【００３１】
前述した嵌合筒部１０３ｂは、ハウジング１０３においてターミナル保持部１３１とは反対側に位置し、幅方向Ｂに対称なる二箇所に離間して設けられる。嵌合筒部１０３ｂは、第１端部１０２ｃ側から見て装着部１３２よりも外側にはみ出すように形成される。このため、渦状をなすシールド１０２の第２端部１０２ｅ側の端面のほぼ全てに接触する。
【００３２】
ハウジング１０３において二つの嵌合筒部１０３ｂの間の領域からは、前述したターミナル１０３ａが、下方に延びた後に装着部１３２から離れる方向に曲がっている。この端部（ターミナル１０３ａの他方の端部）は、プラグコネクタ２０１の上面に設けられたランドパターン（図示せず）に接続される。
【００３３】
ハウジング１０３において、装着部１３２の上面には、角柱状の突起１３３が突出する。突起１３３は、装着部１３２の幅方向Ｂの中央で嵌合筒部１０３ｂ側に寄せて設けられる。突起１３３は、ハウジング１０３がシールド１０２に装着される際に、孔部１１２ａに入り込む。この状態でカシメ部１１２が図４で一点鎖線で示すように折り曲げられることで、ハウジング１０３はシールド１０２にカシメ固定される。
【００３４】
次いで、補強金具１０４について説明する。補強金具１０４の挟持部１０４ｂは、第２側部１０２ｂとほぼ同じ高さに形成される。このため、挟持部１０４ｂの下端から突出する脚部１０４ｄは、補強金具１０４がハウジング１０３に装着されたときに、シールド１０２よりも下方に突出する。
【００３５】
補強金具１０４の挟持部１０４ｂには、シールド１０２のスナップ爪１１１に対応する箇所にスナップ係合孔１２２が開口する。スナップ係合孔１２２は、補強金具１０４がハウジング１０３に装着されたときに、スナップ爪１１１に係合してスナップロックにより固定される。
【００３６】
前述した嵌入部１０４ｃは、嵌合筒部１０３ｂに嵌合される形状をなし、ハウジング１０３の二つの嵌合筒部１０３ｂのそれぞれに対応するように、補強金具１０４の基部１０４ａの幅方向Ｂの両端部から延びている。このような嵌入部１０４ｃは、嵌合筒部１０３ｂの長さよりも長い。また、嵌入部１０４ｃの幅方向Ｂに向く側面からは、圧入突起１０４ｅが突出している。嵌入部１０４ｃは、補強金具１０４がハウジング１０３に装着されたときに、嵌合筒部１０３ｂに圧入される。圧入されると、圧入突起１０４ｅは嵌合筒部１０３ｂの内壁面に引っかかって、補強金具１０４がハウジング１０３から上方に抜けてしまうことが防がれる。また、嵌入部１０４ｃの先端に設けられた脚部１０４ｄは、挟持部１０４ｂの下端から突出する脚部１０４ｄと同じ高さ位置に設けられ、嵌合筒部１０３ｂに挿通されたときにこの嵌合筒部１０３ｂから下方に突出する。
【００３７】
補強金具１０４の基部１０４ａには、第１嵌合突部１２３が設けられる。第１嵌合突部１２３は、シールド１０２の第１嵌合孔１１４に対応する箇所に設けられる。第１嵌合突部１２３は、挿通方向Ａに二本のカット線を入れ、これらのカット線の間を下方に押し出すことによって形成される。補強金具１０４がハウジング１０３に装着されたとき、第１嵌合突部１２３は第１嵌合孔１１４に嵌合される。ここで、補強金具１０４がシールド１０２に対して幅方向Ｂに動こうとしても、第１嵌合突部１２３の幅方向Ｂに向く端面が第１嵌合孔１１４の内壁面に接触し、補強金具１０４の幅方向Ｂの動きが防がれる。
【００３８】
補強金具１０４には、基部１０４ａと挟持部１０４ｂとの境界部分にかけて、第２嵌合突部１２４が設けられる。第２嵌合突部１２４は、シールド１０２の第２嵌合孔１１５に対応する箇所に設けられる。第２嵌合突部１２４は、幅方向Ｂに二本のカット線を入れ、これらのカット線の間を押し込んで厚み方向に圧縮するようにして形成される。補強金具１０４がハウジング１０３に装着されたとき、第２嵌合突部１２４は第２嵌合孔１１５に嵌合される。ここで、補強金具１０４がシールド１０２に対して幅方向Ｂに動こうとしても、第２嵌合突部１２４の挿通方向Ａに向く端面が第２嵌合孔１１５の内壁面に接触し、補強金具１０４の挿通方向Ａの動きが防がれる。
【００３９】
第１嵌合孔１１４及びこれに嵌合する第１嵌合突部１２３、並びに、第２嵌合孔１１５及びこれに嵌合する第２嵌合突部１２４は、上述のように、シールド１０２に対する補強金具１０４が平面方向に動くことを防ぐ。ここに、凹凸嵌合部１２６が構成される。
【００４０】
ここで、第１嵌合突部１２３も第２嵌合突部１２４も、両持ち状態のままで補強金具１０４に連結されている。このため、補強金具１０４に対してシールド１０２が平面方向に動いても、第１嵌合突部１２３や第２嵌合突部１２４は補強金具１０４から外れにくい。また、第２嵌合突部１２４は、基部１０４ａと挟持部１０４ｂとの境界部分を圧縮して形成されるため、厚みが増大して強度が増し一層外れにくくなる。
【００４１】
レセプタクルコネクタ１０１は、以下の手順で作られる。まず、ハウジング１０３が、ターミナル保持部１３１からハウジング装着孔１０２ｆに入り込ませて、シールド１０２の第２端部１０２ｅ側のハウジング装着孔１０２ｆに挿入される。このとき、装着部１３２がシールド１０２の第２端部１０２ｅに嵌めこまれる。また、嵌合筒部１０３ｂがシールド１０２の第２端部１０２ｅの端面に突き当たる。また、突起１３３がカシメ部１１２の孔部１１２ａに入り込む。
【００４２】
続いて、シールド１０２のカシメ部１１２が折り曲げられて、ハウジング１０３がシールド１０２にカシメ固定される。
【００４３】
続いて、補強金具１０４が、シールド１０２の上方から嵌めこまれる。このとき、スナップ係合孔１２２とスナップ爪１１１とは、スナップロックされる。また、嵌入部１０４ｃは、嵌合筒部１０３ｂに圧入固定される。また、第１嵌合突部１２３は、第１嵌合孔１１４に嵌合される。また、第２嵌合突部１２４は、第２嵌合孔１１５に嵌合される。
【００４４】
このように、本実施の形態のレセプタクルコネクタ１０１は、シールド１０２とハウジング１０３と補強金具１０４とが互いに組み付けられて構成され、これら三者の間でそれぞれが互いに保持される。したがって、レセプタクルコネクタ１０１が二重シェル構造で強固なものになる。
【００４５】
このように、本実施の形態のレセプタクルコネクタ１０１は、シールドとハウジングと補強金具とを組み付けた状態で取り扱うことができる。つまり、レセプタクルコネクタ１０１を基板３０１（図２参照）に固定するときには、シールド１０２や補強金具１０４を別個にハンダ付けすることなく、脚部１０４ｄを基板３０１の挿込孔３０２（図２参照）に挿入してシールド１０２の下方の第１側部１０２ａの下面を基板３０１の上面にハンダ付けして、レセプタクルコネクタ１０１を一度に基板３０１に固定することができる。つまり、レセプタクルコネクタ１０１の基板３０１に対する固定が容易になる。
【００４６】
さらに、本実施の形態のレセプタクルコネクタ１０１は、シールドによるハウジングのカシメ固定、嵌合筒部１０３ｂへの嵌入部１０４ｃの圧入、並びに、スナップ爪１１１とスナップ係合孔１２２とのスナップロックにより、シールド１０２やハウジング１０３から補強金具１０４が外れない。
【００４７】
なお、第一の実施の形態に準じた別の実施の形態（第二の実施の形態）として、補強金具１０４に設けられる第１嵌合突部１２３や第２嵌合突部１２４を、押し出し形成ではなく、補強金具１０４に対してコ字状のカット線を入れて切り起こすことで片持ち状態に形成してもよい。
【００４８】
第一の実施の形態に準じたさらに別の実施の形態（第三の実施の形態）として、補強金具１０４の基部１０４ａの下面に突起体を溶接固定して、補強金具１０４に設けられる第１嵌合突部１２３や第２嵌合突部１２４を形成しても良い。
【００４９】
次いで、さらに別の実施の形態を、図５に基づいて説明する。説明の便宜上、本実施の形態を第四の実施の形態と呼ぶ。本実施の形態は、第一の実施の形態に準じたものであり、おいて、第一の実施の形態と同一の部分には同一の符号を用い、説明も省略する。
【００５０】
図５は、レセプタクルコネクタ１０１を下方正面側から見た斜視図である。本実施の形態では、シールド１０２の下方の第１側部１０２ａに、挿通方向Ａのほぼ中央で幅方向Ｂの両端部の二箇所に、脚部１０４ｆが切り起こして形成される。この脚部１０４ｆは、補強金具１０４の挟持部１０４ｂや嵌入部１０４ｃに設けられた脚部１０４ｄと同様に、基板３０１の挿込孔３０２（図２参照）に挿入される。
【００５１】
本実施の形態のレセプタクルコネクタ１０１でも、シールド１０２とハウジング１０３と補強金具１０４とが互いに組み付けられて構成され、これら三者の間でそれぞれが互いに保持されて、レセプタクルコネクタ１０１が二重シェル構造で強固なものになる。また、レセプタクルコネクタ１０１を一度に基板３０１に固定することができる。さらに、本実施の形態のレセプタクルコネクタ１０１では、シールド１０２もハウジング１０３も脚部１０４ｄ，１０４ｆを有して基板３０１に刺さり込むので、レセプタクルコネクタ１０１の基板３０１に対する固定が一層強固になる。
【００５２】
なお、各実施の形態で具体的に説明している部分を、他の実施の形態と適宜組み合わせることができるのは、言うまでもない。
【符号の説明】
【００５３】
１０１  レセプタクルコネクタ
１０２  シールド
１０２ａ  第１側部
１０２ｂ  第２側部
１０２ｃ  第１端部
１０２ｅ  第２端部
１０３  ハウジング
１０３ａ  ターミナル
１０３ｂ  嵌合筒部
１０４  補強金具
１０４ａ  基部
１０４ｂ  挟持部
１０４ｃ  嵌入部
１０４ｅ  圧入突起
１１１  スナップ爪
１１２  カシメ部
１１４  第１嵌合孔
１１５  第２嵌合孔
１２２  スナップ係合孔
１２３  第１嵌合突部
１２４  第２嵌合突部
１２６  凹凸嵌合部
２０１  プラグコネクタ
２０２  コンタクト
【図１】
0005190742.tif 000002
【図２】
0005190742.tif 000003
【図３】
0005190742.tif 000004
【図４】
0005190742.tif 000005
【図５】
0005190742.tif 000006
【図６】
0005190742.tif 000007
【図７】
0005190742.tif 000008
【図８】
0005190742.tif 000009